(57)【特許請求の範囲】
【請求項１】
下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る電動昇降食器乾燥機であって、棚部の棚側板の一部を上下全長にわたって凹入させて吸気ダクトを形成し、棚部の格納時に吸気ダクトの上端部が外部ケース側に設けた温風供給部の吸い込み口に連通可能に構成し、吸気ダクトの下端部にフィルターを設けて成ることを特徴とする電動昇降食器乾燥機。
【請求項２】
吸気ダクトの上端部に棚部の上端よりも突出する上端ダクトを着脱自在に取付けて成ることを特徴とする請求項１記載の電動昇降食器乾燥機。
【請求項３】
温風供給部のヒータより手前に分岐ダクトを形成し、分岐ダクトに棚部の昇降を制御する部品を備えた回路部を臨ませて成ることを特徴とする請求項１記載の電動昇降食器乾燥機。
【請求項４】
棚部にガイドローラ用のブラケットを取付け、ブラケットの上端を吸気ダクトの上端より上にして成ることを特徴とする請求項１記載の電動昇降食器乾燥機。
【請求項５】
上端ダクトの下端部に下方に向けて吸気ダクトの上端部開口内側に嵌め込まれる嵌め込み部を連設し、嵌め込み部に吸気ダクトの上端部に係止される係止部を設けると共に、係止部に該係止部による係止を解除する解除部を設けて成ることを特徴とする請求項２記載の電動昇降食器乾燥機。
【請求項６】
吸気ダクト内壁の上端ダクトの嵌め込み部が嵌め込まれる部位に上下方向に長い凸条を形成し、嵌め込み部の前記凸条に対応する部位に凸条を逃がすための凹溝を形成して成ることを特徴とする請求項２又は請求項５記載の電動昇降食器乾燥機。
【発明の詳細な説明】
【０００１】
【発明の属する技術分野】
本発明は、外部ケースに対して棚部を昇降させる電動昇降食器乾燥機に関し、詳しくは、吸気ダクトを設けることによる収納容量の低下を抑制しながら、吸気ダクトに付設するフィルターの交換を容易にしようとする技術に係るものである。
【０００２】
【従来の技術】
従来、下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る電動昇降食器乾燥機において、温風を棚部に供給するための吸気口は、棚部の上方部に設けて空気の取り入れが容易におこなわれるようにするものである。この場合、吸気口にフィルターを付設するのであるが、フィルターの清掃等のメンテナンスが面倒になるものである。
【０００３】
そこで、棚部の上下全長にわたって吸気ダクトを付設するとともに吸気ダクトの下端部にフィルターを設けてフィルターのメンテナンスを容易になすようにすることが考えられる。
【０００４】
ところで、別途に構成した吸気ダクトを棚部に付設する構成においては、棚部の収納容量が大きく低減されるという問題があった。
【０００５】
【発明が解決しようとする課題】
本発明はこのような問題に鑑みてなされたものであり、吸気ダクトを設けることによる収納容量の低下を抑制しながら、吸気ダクトに付設するフィルターのメンテナンスを容易におこなうことができる電動昇降食器乾燥機を提供することを課題とするものである。
【０００６】
【課題を解決するための手段】
請求項１においては、下方が開放された外部ケース１側の昇降索３を棚部２に連結して棚部２を外部ケース１内に格納する格納位置に上昇及び物品取出し・収納位置に下降自在に設け、棚部２の格納状態において温風を供給して乾燥を図る電動昇降食器乾燥機であって、棚部２の棚側板２９の一部を上下全長にわたって凹入させて吸気ダクト２２を形成し、棚部２の格納時に吸気ダクト２２の上端部が外部ケース１側に設けた温風供給部１９の吸い込み口２４に連通可能に構成し、吸気ダクト２２の下端部にフィルター６を設けていることを特徴とするものである。このような構成によれば、棚側板２９を一部を凹入させて吸気ダクト２２を形成することによって、別途に構成された吸気ダクトを棚部２に組み込む構成に比べて棚部２の収納容量が低減されるのを抑制しながら、吸気ダクト２２の下端部にフィルター６を設けてフィルター６のメンテナンスを容易におこなえる。
【０００７】
請求項２においては、吸気ダクト２２の上端部に棚部２の上端よりも突出する上端ダクト７を着脱自在に取付けてあることを特徴とするものである。このような構成によれば、上端ダクト７を外すことで作業スペースを確保でき、例えば、作業スペースに配した取付け金具１４によって棚部２の取付け施工をおこなうことができる。
【０００８】
請求項３においては、温風供給部１９のヒータ１８より手前に分岐ダクト８を形成し、分岐ダクト８に棚部２の昇降を制御する部品を備えた回路部９を臨ませていることを特徴とするものである。このような構成によれば、分岐ダクト８に臨ませた回路部９の発熱によって分岐ダクト８の空気を予熱することができながら回路部９が高温になるのを防止することができる。
【０００９】
請求項４においては、棚部２にガイドローラ１０用のブラケット５を取付け、ブラケット５の上端を吸気ダクト２２の上端より上にしていることを特徴とするものである。このような構成によれば、棚部２が設定以上に高い位置に上昇する場合に、吸気ダクト２２よりも上のブラケット５が外部ケース１に衝突することで、吸気ダクト２２が衝突して損傷されることを防止することができる。
【００１０】
請求項５においては、上端ダクト７の下端部に下方に向けて吸気ダクト２２の上端部開口２２ａ内側に嵌め込まれる嵌め込み部７１を連設し、嵌め込み部７１に吸気ダクト２２の上端部に係止される係止部７２を設けると共に、係止部７２に該係止部７２による係止を解除する解除部７３を設けることを特徴とするものである。このような構成によれば、上端ダクト７の吸気ダクト２２への着脱を容易で確実なものとすることができる。
【００１１】
請求項６においては、吸気ダクト２２内壁の上端ダクト７の嵌め込み部７１が嵌め込まれる部位に上下方向に長い凸条２２ｂを形成し、嵌め込み部７１の前記凸条２２ｂに対応する部位に凸条２２ｂを逃がすための凹溝７４を形成することを特徴とするものである。このような構成によれば、上端ダクト７を吸気ダクト２２に取付ける際に、側面の向きを誤って取付けるのを防止することができる。
【００１２】
【発明の実施の形態】
以下、本発明の実施の形態を説明する。図１（ａ）は棚部の概略平断面図、同図（ｂ）は棚部の概略正面図である。図２（ａ）は同上の全体概略側面図、同図（ｂ）は上端ダクトの斜視図である。図３は全体概略正面図である。図４は概略側断面図である。図５は概略側断面図である。図６は概略横断面図である。
【００１３】
電動昇降食器乾燥機Ａは、天袋の一部を構成するもので、例えば、調理部と食堂とを仕切る天袋の一部として設置され、その下方にはカウンター(図示せず)が配設されている。以下、詳述する。
【００１４】
外部ケース１は下方が開放された箱型に形成され、開くことができない擬似扉２５を備え、このような外部ケース１の内部上部にはファン１７とヒータ１８を備えた温風供給部１９が設置され、更に、滑車２０と巻き取りドラム１１と駆動モータ１２を備えた昇降機構部１３が設置され、カバーにて囲繞されて湿気等が入らないように気密が保たれている。カバーには温風吹出し口を形成している。ところで、ファン１７はヒータ１８とは独立して駆動できるようになっていて、ヒータ１８を駆動させる温風供給、又は、ヒータ１８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１５】
昇降手段４である昇降機構部１３からの一対の昇降索３であるベルト２７，２７に棚部２を係着していて、駆動モータ１２によって棚部２を昇降することができるようにしている。
【００１６】
棚部２は天板と水受け２６との間に、例えば、カラー塗装して錆び止めを図った金属線材１５を複数本架設して、略かご状にしたものであり、金属線材１５，１５間に皿を挿入して保持したり、又、ちゃわんのような容器状の食器を内部に収容できるようにしている。
【００１７】
棚部２の棚側板２９に沿って吸気ダクト２２が形成され、吸気口２３が吸気ダクト２２及び棚部２の下端に形成されている。吸気口２３にはフィルター６が着脱自在に取付けられている。
【００１８】
棚部２の水受け２６はパン状に形成され、ビスにて止められ、ビスを外すことで棚部２から取外すことができるようにしている。水受け２６には水勾配が形成され、水勾配の最も低い部分に排水口３１を形成している。又、排出口２８を設けて排気するようにしている。
【００１９】
外部ケース１の対向する側板２１には平面視において略Ｈ形となる縦レール３０を取付けている。棚部２にはブラケット５を取付けてあり、ブラケット５には縦レール３０に対向してガイドローラ１０を取付けてあり、対向する縦レール３０をガイドとして棚部２を円滑に昇降させることができるようにしている。
【００２０】
図１に示すように、棚部２の一方の棚側板２９の後部を上下全長にわたって平面視において略Ｌ字状に曲げて凹入させ、凹入した箇所に蓋３２をビス３３にて止めることで吸気ダクト２２を形成するものである。吸気ダクト２２の下端部にフィルター６を交換自在に設けている。
【００２１】
このように、棚側板２９を一部を凹入させて吸気ダクト２２を形成することによって、別途に構成された吸気ダクトを棚部２に組み込む構成に比べて棚部２の収納容量が低減されるのを抑制しながら、吸気ダクト２２の下端部にフィルター６を設けてフィルター６のメンテナンスを容易におこなえるものである。
【００２２】
吸気ダクト２２の上端部に棚部２の上端よりも突出する角筒状の上端ダクト７を着脱自在に取付けてあって、棚部２の格納時に吸気ダクト２２の上端ダクト７が外部ケース１側に設けた温風供給部１９のケーシング３４の吸い込み口２４に連通可能に構成されている。上端ダクト７の背方には取付け金具１４が外部ケース１側に取付けられている。
【００２３】
このような構成によれば、上端ダクト７を外すことで作業スペースを確保でき、外部ケース１に形成した孔からボルト等を挿入して取付け金具１４を天井から垂下している垂れ壁や支持具（図示せず）にボルト等にて固定することで外部ケース１を固定することができ、電動昇降食器乾燥機Ａの取付けがおこなえるものである。
【００２４】
この場合、棚部２に取付けているガイドローラ１０用のブラケット５の上端は吸気ダクト２２の上端より上にあることから、棚部２が設定以上に高い位置に上昇する場合に、吸気ダクト２２よりも上のブラケット５が外部ケース１に衝突することで、吸気ダクト２２が衝突して損傷されることを防止することができるようにしている。
【００２５】
ところで、図９に示すように、温風供給部１９のケーシング３４の内部において、ヒータ１８及びファン１７より手前に分岐ダクト８を導入ダクト３５より分岐している。分岐ダクト８に棚部２の昇降を制御する部品を備えた回路部９を臨ませている。
【００２６】
このような構成によれば、分岐ダクト８に臨ませた回路部９の発熱によって分岐ダクト８の空気を予熱することができながら回路部９が高温になるのを防止することができるものである。
【００２７】
次に、図１０乃至図１３に基づいて本発明の実施の他の形態について説明する。図１０は上端ダクト７を示し、図１１は上端ダクト７を吸気ダクト２２に取付けた状態を示し、図１２は図１１（ｂ）の要部拡大断面図であり、図１３は上端ダクト７を吸気ダクト２２に取付ける前の状態を示す。
【００２８】
角筒状をした上端ダクト７の上端部にはパッキン７５が貼り付けられており、棚部２の格納時に吸気ダクト２２の上端ダクト７が外部ケース１側に設けた温風供給部１９のケーシング３４の吸い込み口２４に連通した際に、上端ダクト７の上端部と吸い込み口２４との突き合わせ部がシールされるようになっている。
【００２９】
角筒状をした上端ダクト７の下端部周縁からは、吸気ダクト２２の上端部開口２２ａの内側に嵌め込まれる角筒状をした嵌め込み部７１が下方に向けて連設してある。そして、上端ダクト７の嵌め込み部７１には、この嵌め込み部７１を吸気ダクト２２の上端部開口２２ａに嵌め込んだ際に該吸気ダクト２２の上端部開口２２ａ縁に係止するための係止部７２が設けてある。
【００３０】
係止部７２は、図１０（ｅ）に示すように、上端ダクト７の下端部より下方に向けて連設された連設部７６と、連設部７６下端より下方に向けて連設された側断面が上下に長い逆三角形状の爪部７７と、爪部７７より上端ダクト７内上方に向けて連設された解除部７３としての解除レバー７３ａとからなり、合成樹脂等の可撓性を有する材料で成形されてある。吸気ダクト２２の上端部開口２２ａ周縁からは、該開口内方に向けてフランジ部２２ｃが連設されてあり、上記係止部７２は、上端ダクト７の嵌め込み部７１を吸気ダクト２２の上端部開口２２ａ内側に嵌め込んだ際、係止部７２の逆三角形状をした爪部７７の上端面が吸気ダクト２２の上端部開口２２ａ周縁のフランジ部２２ｃの下面に係止されるものである。このような係止部７２は、角筒状をした嵌め込み部７１の直交して隣り合う二側面に形成されてあり、上端ダクトが吸気ダクト２２から抜けるのを確実に防止することができる。
【００３１】
更に、係止部７２の爪部７７からは、吸気ダクト２２の上端部開口２２ａ周縁のフランジ部２２ｃに対する上端ダクト７の係止部７２による係止を解除する解除レバー７３ａが設けてある。解除レバー７３ａの上端は上端ダクト７の下端部よりも上方に位置しているため、上端ダクト７の上端部開口より手を挿入し、解除レバー７ａの上端部を指で矢印ロの方向に押すことで簡単に係止部７２による係止を解除することができる。
【００３２】
また、係止部７２が形成されていない嵌め込み部７１の一側面には、後述する吸気ダクト２２内壁に形成された凸条２２ｂを逃がすための上下方向に長い凹溝７４が形成される。吸気ダクト２２内壁に形成される凸条２２ｂは、上端ダクト７の上記凹溝７４に対応する部位に上下方向に長く形成され、凸条２２ｂのダクト内方側端部２２ｂ1は、フランジ部２２ｃのダクト内方側端部２２ｃ1よりもダクト内方側に位置するものである。このようにすることで、角筒状の上端ダクト７を吸気ダクト２２に取付ける際に、側面を誤った向きにして取付けようとした場合、上端ダクト７の嵌め込み部７１の下端が吸気ダクト２２内壁に形成された凸条２２ｂの上端に当たって吸気ダクト２２の上端部開口２２ａ内側に嵌め込むことができず、側面の向きを誤って取付けるのを確実に防止することができる。また、上端ダクト７の側面を正しい向きにして吸気ダクト２２に取付けようとした場合には、吸気ダクト２２内壁に形成された凸条２２ｂに対応する上端ダクト７の嵌め込み部７１には凹溝７４が位置するため、凸条２２ｂの上端に嵌め込み部７１の下端が当たることなく上端ダクト７の嵌め込み部７１を吸気ダクト２２の上端部開口２２ａ内側に嵌め込むことができる。
【００３３】
このような構成によれば、上端ダクト７を合成樹脂によって成形することで、容易に係止部７２等を有する構成とすることが可能となると共に、可撓性を有する係止部７２を形成したことで上端ダクト７の吸気ダクト２２への着脱を容易で確実なものとすることが可能となるものである。また、吸気ダクト２２内壁の上端ダクト７の嵌め込み部７１が嵌め込まれる部位に上下方向に長い凸条２２ｂを形成し、嵌め込み部７１の前記凸条２２ｂに対応する部位に凸条２２ｂを逃がすための凹溝７４を形成してあるため、側面の向きを誤って取付けるのを確実に防止することが可能となるものである。
【００３４】
【発明の効果】
請求項１においては、下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る電動昇降食器乾燥機であって、棚部の棚側板の一部を上下全長にわたって凹入させて吸気ダクトを形成し、棚部の格納時に吸気ダクトの上端部が外部ケース側に設けた温風供給部の吸い込み口に連通可能に構成し、吸気ダクトの下端部にフィルターを設けているから、棚側板を一部を凹入させて吸気ダクトを形成することによって、別途に構成された吸気ダクトを棚部に組み込む構成に比べて棚部の収納容量が低減されるのを抑制しながら、吸気ダクトの下端部にフィルターを設けてフィルターのメンテナンスを容易におこなえるという利点がある。
【００３５】
請求項２においては、請求項１の構成に加えて、吸気ダクトの上端部に棚部の上端よりも突出する上端ダクトを着脱自在に取付けてあるから、請求項１の効果に加えて、上端ダクトを外すことで作業スペースを確保でき、例えば、作業スペースに配した取付け金具によって棚部の取付け施工をおこなうことができるという利点がある。
【００３６】
請求項３においては、請求項１の構成に加えて、温風供給部のヒータより手前に分岐ダクトを形成し、分岐ダクトに棚部の昇降を制御する部品を備えた回路部を臨ませているから、請求項１の効果に加えて、分岐ダクトに臨ませた回路部の発熱によって分岐ダクトの空気を予熱することができながら回路部が高温になるのを防止することができるという利点がある。
【００３７】
請求項４においては、請求項１の構成に加えて、棚部にガイドローラ用のブラケットを取付け、ブラケットの上端を吸気ダクトの上端より上にしているから、請求項１の効果に加えて、棚部が設定以上に高い位置に上昇する場合に、吸気ダクトよりも上のブラケットが外部ケースに衝突することで、吸気ダクトが衝突して損傷されることを防止することができる。
【００３８】
請求項５においては、請求項２の構成に加えて、上端ダクトの下端部に下方に向けて吸気ダクトの上端部開口内側に嵌め込まれる嵌め込み部を連設し、嵌め込み部に吸気ダクトの上端部に係止される係止部を設けると共に、係止部に該係止部による係止を解除する解除部を設けているから、請求項２の効果に加えて、上端ダクトを合成樹脂によって成形することで容易に係止部等を有する構成とすることができると共に、係止部を形成したことで上端ダクトの吸気ダクトへの着脱を容易で確実なものとすることができるという利点がある。
【００３９】
請求項６においては、請求項２又は請求項５の構成に加えて、吸気ダクト内壁の上端ダクトの嵌め込み部が嵌め込まれる部位に上下方向に長い凸条を形成し、嵌め込み部の前記凸条に対応する部位に凸条を逃がすための凹溝を形成しているから、請求項２又は請求項５の効果に加えて、側面の向きを誤って上端ダクトを吸気ダクトに取付けるのを防止することができるという利点がある。
【図面の簡単な説明】
【図１】本発明の実施の一形態を示し、（ａ）は棚部の概略平断面図、（ｂ）は棚部の概略正面図である。
【図２】（ａ）は同上の概略側面図、（ｂ）は上端ダクトの斜視図である。
【図３】同上の概略正面図である。
【図４】同上の概略側断面図である。
【図５】同上の概略側断面図である。
【図６】同上の概略横断面図である。
【図７】同上の概略正面図である。
【図８】（ａ）は図７のイ部の拡大図、（ｂ）は説明図である。
【図９】同上の説明図である。
【図１０】本発明の実施の他の形態における上端ダクトを示し、（ａ）は右側面図であり、（ｂ）は平面図であり、（ｃ）は左側面図であり、（ｄ）は背面図であり、（ｅ）は（ａ）のＡ−Ａ断面における説明図である。
【図１１】同上の上端ダクトを吸気ダクトに取付けた状態を示し、（ａ）は平面図であり、（ｂ）は下部を省略した側面図であり、（ｃ）は下部を省略した背面図である。
【図１２】図１１（ｂ）の要部拡大断面図である。
【図１３】同上の上端ダクトを吸気ダクトに取付ける前の状態を示す平面図である。
【符号の説明】
１    外部ケース
２    棚部
３    昇降索
６    フィルター
１９  温風供給部
２２  吸気ダクト
２４  吸い込み口
２９  棚側板
【図１】
0003736354.tif 000002
【図２】
0003736354.tif 000003
【図３】
0003736354.tif 000004
【図４】
0003736354.tif 000005
【図５】
0003736354.tif 000006
【図６】
0003736354.tif 000007
【図７】
0003736354.tif 000008
【図８】
0003736354.tif 000009
【図９】
0003736354.tif 000010
【図１０】
0003736354.tif 000011
【図１１】
0003736354.tif 000012
【図１２】
0003736354.tif 000013
【図１３】
0003736354.tif 000014